(57)【要約】      （修正有）【課題】自動販売機に印刷機能を付与することで、各自動販売機に固有の特徴を持たせ、需要者の興味を惹きつけることができる自動販売機を提供する。【解決手段】基本的に、商品選択部１と、コンテンツ記憶部と、コンテンツ抽出部と、印刷部を備えている。商品選択部１は、自動販売機１００で販売している商品を選択するための機能を有する。コンテンツ記憶部は、コンテンツを記憶するための手段である。コンテンツ抽出部は、商品選択部１によって商品が選択されたことを検知し、コンテンツ記憶部から所定のコンテンツを抽出するための手段である。印刷部は、コンテンツ抽出部によって抽出された領収書やクーポン等の所定のコンテンツを、印刷用紙Ｐに印刷する機能を有する。【選択図】図１
0003167494.tif 000002
【実用新案登録請求の範囲】
【請求項１】
商品を自動的に販売可能な自動販売機であって，
販売している商品を選択するための商品選択部（１）と，
コンテンツを記憶するためのコンテンツ記憶部（２）と，
前記商品選択部（１）によって前記商品が選択されたことを検知し，前記コンテンツ記憶部（２）から所定のコンテンツを抽出するコンテンツ抽出部（３）と，
前記コンテンツ抽出部（３）によって抽出された前記所定のコンテンツを，印刷用紙に印刷する印刷部（４）を備える
自動販売機。
【請求項２】
さらに，前記商品選択部（１）により選択された商品の金額を算出する金額算出手段（５）を備え，
前記印刷部（４）は，前記コンテンツ抽出部（３）によって抽出された前記所定のコンテンツとともに，前記金額算出手段（５）により算出された商品の金額を，前記印刷用紙に印刷する
請求項１に記載の自動販売機。
【請求項３】
前記コンテンツ記憶部（２）は，前記自動販売機において販売している商品の種類と前記コンテンツを関連付けるための商品テーブル（２１）を有し，
前記コンテンツ抽出部（３）は，前記商品選択部（１）によって商品が選択されたことを検知した場合に，前記商品テーブル（２１）において，前記商品選択部（１）によって選択された商品の種類と関連付けられているコンテンツを抽出する
請求項１に記載の自動販売機。
【請求項４】
前記自動販売機が設置された所在地に関する情報を取得するための位置情報取得部（６）をさらに備え，
前記コンテンツ記憶部（２）は，前記自動販売機が設置された所在地に関する情報と前記コンテンツを関連付けるための位置情報テーブル（２２）を有し，
前記コンテンツ抽出部（３）は，前記商品選択部（１）によって商品が選択されたことを検知した場合に，位置情報テーブル（２１）において，前記位置情報取得部（６）によって取得された所在地に関する情報と関連付けられているコンテンツを抽出する
請求項１に記載の自動販売機。
【請求項５】
前記自動販売機が商品を販売した時刻を取得するための時計部（７）をさらに備え，
前記コンテンツ記憶部（２）は，前記自動販売機が商品を販売した時刻と前記コンテンツを関連付けるための時刻テーブル（２３）を有し，
前記コンテンツ抽出部（３）は，前記商品選択部（１）によって商品が選択されたことを検知した場合に，前記時刻テーブル（２１）において，前記時計部（７）によって取得された時刻と関連付けられているコンテンツを抽出する
請求項１に記載の自動販売機。
【請求項６】
前記コンテンツ抽出部（３）は，前記コンテンツ記憶部（２）から複数のコンテンツを抽出するものであり，
前記自動販売機は，
前記コンテンツ抽出部（３）によって抽出された複数のコンテンツを表示するコンテンツ表示部（８）と，
前記コンテンツ表示部（８）により表示された複数のコンテンツの中から一のコンテンツを選択するためのコンテンツ選択部（９）をさらに備え，
前記印刷部４は，前記コンテンツ選択部（９）により選択されたコンテンツを，印刷用紙に印刷する
請求項１に記載の自動販売機。
【考案の詳細な説明】
【技術分野】
【０００１】
本考案は，本考案は，商品を購入した者に対して，付加価値の高いコンテンツを提供可能な自動販売機に関する。具体的に説明すると，本考案は，例えばレシートやクーポン券やトレーディングカードを出力可能な自動販売機に関する。
【背景技術】
【０００２】
従来から，例えば飲料や食品のような商品を自動的に販売可能な自動販売機が存在している。また，商品の購入者に対して，その商品の料金や購入日時を記した領収書（レシート）を発行することができる自動販売機も知られている（特許文献１）。
【先行技術文献】
【特許文献】
【０００３】
【特許文献１】特開２００８−１３４９７８号公報
【考案の概要】
【考案が解決しようとする課題】
【０００４】
ところで，ある自動販売機が販売している商品の需要は，地域的な側面からみると，極めて狭い地域に限られおり，ある特定の自動販売機で販売している商品を買い求めて，遠方から往来する需要者は一般的には存在しないというのが現状である。特に，近年では，飲料や食品を販売している自動販売機やコンビニエンスストアが，日本全国の各所に点在しており，都市地域のみならず地方地域にも相当数設置されている。このため，需要者は，遠方に所在する特定の自動販売機から商品を買い求めなくても，近辺に所在する自動販売機やコンビニエンスストアから所望の商品を購入することが可能となっている。従って，現在，自動販売機の独自性は，極めて希釈化しているといえる。
【０００５】
しかしながら，先に述べたとおり，自動販売機は，近年，都市地域のみならず地方地域であっても至る所に設置されているものである。従って，ある自動販売機を他の自動販売機と差別化し，自動販売機のそれぞれに固有の特徴を発揮させることができれば，遠方からであっても需要者を呼び込むことができる。また，自動販売機のそれぞれが有する独自性や個性をきっかけとして，例えば，地域経済の活性化にもつなげることができる。
【０００６】
そこで，本考案は，自動販売機のそれぞれに固有の特徴を持たせ，需要者の興味を惹きつけることができる自動販売機を提供することを目的とする。
【課題を解決するための手段】
【０００７】
本考案者らは，上記の課題を解決するための手段について鋭意検討した結果，需要者に対して付加価値の高いコンテンツを提供できる手段を自動販売機に備えることにより，需要者の興味を惹きつけ，自動販売機のそれぞれに独自性を持たせることができるという知見を得た。そして，このような知見に基づけば，従来の課題を解決できることに想到し，本考案を完成させた。
【０００８】
具体的に説明すると，本考案は，以下の構成を備える。ただし，本考案は，以下に説明する構成に限定されるものではなく，本願の出願時において公知となっている自動販売機の構成を適宜採用することができる。
【０００９】
本考案は，例えば飲料や食品のような商品を自動的に販売可能な自動販売機に関する。
本考案は，基本的には，商品選択部１と，コンテンツ記憶部２と，コンテンツ抽出部３と，印刷部４を備えている。
商品選択部１は，自動販売機で販売している商品を選択するための機能を有する。
コンテンツ記憶部２は，コンテンツを記憶するための手段である。
コンテンツ抽出部３は，商品選択部１によって商品が選択されたことを検知し，コンテンツ記憶部２から所定のコンテンツを抽出するための手段である。
印刷部４は，コンテンツ抽出部３によって抽出された所定のコンテンツを，印刷用紙に印刷する機能を有する。
【００１０】
このように，本考案では，商品を販売するともに，需要者の興味を惹きつけるコンテンツを印刷することが可能であるため，コンテンツ印刷機能を有しない他の自動販売機との差別化を図ることができる。また，例えば，印刷用紙に印刷するコンテンツとして，自動販売機が設置された近辺の商店や施設などの広告を提供すれば，その自動販売機近辺の経済活性化にもつながる。
【００１１】
本考案は，さらに，商品選択部１により選択された商品の金額を算出する金額算出手段５を備えることとしてもよい。この場合，印刷部４は，コンテンツ抽出部３によって抽出された所定のコンテンツとともに，金額算出手段５により算出された商品の金額を，印刷用紙に印刷することが好ましい。
【００１２】
つまり，本考案は，需要者に対して領収書（レシート）を発行するものであてもよい。そして，本考案では，商品の金額のような需要者にとって有益な情報に付加して，例えば広告やクーポンのようなコンテンツを提供することが好ましい。
【００１３】
本考案において，コンテンツ記憶部２は，自動販売機において販売している商品の種類とコンテンツを関連付けるための商品テーブル２１を有することが好ましい。この場合，コンテンツ抽出部３は，商品選択部１によって商品が選択されたことを検知したときに，商品テーブル２１において，商品選択部１によって選択された商品の種類と関連付けられているコンテンツを抽出する。
【００１４】
このように，購入された商品の種類と関連付けてコンテンツを提供することで，より需要者の趣向にマッチしたコンテンツを提供することができる。例えば，自動販売機で販売している缶コーヒーの主たる需要者が成人男性であることがわかれば，商品テーブル２１には，成人男性をターゲットにしたコンテンツを記憶させておくことができる。
【００１５】
本考案は，さらに，自動販売機が設置された所在地に関する情報を取得するための位置情報取得部６を備えることが好ましい。そして，コンテンツ記憶部２は，自動販売機が設置された所在地に関する情報とコンテンツを関連付けるための位置情報テーブルを有することが好ましい。この場合において，コンテンツ抽出部３は，商品選択部１によって商品が選択されたことを検知したときに，位置情報テーブル２１において，位置情報テーブル２１によって取得された所在地に関する情報と関連付けられているコンテンツを抽出する。
【００１６】
このように，自動販売機のそれぞれが自らの所在地を特定するための手段を有し，その所在地特有のコンテンツを提供できるようにすることで，地域的な面において，他の自動販売機との差別化を図ることができる。特に，自動販売機のそれぞれに地域的な独自性を持たせることにより，本考案に係る自動販売機同士であっても差別化することが可能である。また，自動販売機が，その所在する地域に応じたコンテンツを提供可能であるため，地域的に遠方の需要者を呼びこむことができ，ひいては地方経済の活性化につながる。例えば，個々の自動販売機がオリエンテーリングのターゲットのような意味合いを持つため，需要者に，スタンプラリーのような趣向で楽しませることができる。
【００１７】
本考案は，さらに，自動販売機が商品を販売した時刻を取得するための時計部７を備えることが好ましい。そして，コンテンツ記憶部２は，自動販売機が商品を販売した時刻とコンテンツを関連付けるための時刻テーブルを有することが好ましい。この場合，コンテンツ抽出部３は，商品選択部１によって商品が選択されたことを検知したときに，時刻テーブル２１において，時計部７によって取得された時刻と関連付けられているコンテンツを抽出する。
【００１８】
このように，自動販売機が商品を販売した時刻と関連付けてコンテンツを提供することで，より需要者の趣向にマッチしたコンテンツを提供することができる。例えば，自動販売機が商品を販売した時刻が昼食の時間帯であれば，近辺の飲食店の広告やクーポン券のようなコンテンツを提供することができる。
【００１９】
また，本考案において，コンテンツ抽出部３は，コンテンツ記憶部２から複数のコンテンツを抽出するものであってもよい。この場合，自動販売機は，コンテンツ抽出部３によって抽出された複数のコンテンツを表示するコンテンツ表示部８と，コンテンツ表示部８により表示された複数のコンテンツの中から一のコンテンツを選択するためのコンテンツ選択部９をさらに備えることが好ましい。
【００２０】
このように，商品を購入した需要者に対して提供するコンテンツに選択肢をもたせ，需要者がその選択肢の中から所望のコンテンツを選択することができるような構成を採用することにより，自動販売機の利便性をより高めることができる。
【図面の簡単な説明】
【００２１】
【図１】図１は，本考案に係る自動販売機の例を示す正面概略図である。
【図２】図２は，本考案に係る自動販売機内部のシステム構成を示すブロック図である。
【図３】図３は，本考案に係る自動販売機の機能ブロック図である。
【図４】図４は，本考案に係る自動販売機によって出力されるコンテンツの例を示す図である。
【考案を実施するための形態】
【００２２】
以下，図面を用いて本考案を実施するための形態について説明する。ただし，本考案は，以下に説明する形態に限定されるものではなく，以下の形態から当業者が自明な範囲で適宜修正したものも含む。
【００２３】
図１は，本考案に係る自動販売機の例を示す正面概略図である。図１に示す例においては，商品として缶入りの飲料を複数種類販売することができる自動販売機１００が示されている。自動販売機１００の本体内部には，複数種類の商品を，保冷又は保温した状態で収容するための商品収容庫（図示しない）が設けられおり，商品選択部１が押下されると，商品収容庫に収容されている商品の中から選択された商品が，商品取出口１０１に払い出される。
【００２４】
図１に示されるように，自動販売機１００の正面部には，基本的には，商品選択部１，商品取出口１０１，硬貨投入口１０２，紙幣投入口１０３，金額表示部１０４，釣銭返却レバー１０５，硬貨返却口１０６，紙幣返却口１０７が設けられている。そして，本考案においては，さらに，印刷部４により印刷された印刷物を排出する印刷物排出口４１，コンテンツ表示部８，コンテンツ選択部９，及び音出力部１０８が設けられている。
【００２５】
自動販売機１００において販売されている商品を購入するためには，まず，硬貨投入口１０２又は紙幣投入口１０３から，硬貨又は紙幣によって商品購入のための料金を投入する。料金が投入されると，投入された料金が計算され，その合計額が金額表示部１０４に表示される。金額表示部１０４に表示された金額の範囲内において，商品を購入することが可能であり，その範囲内における商品を商品選択部１から選択する。そして，商品選択部１から選択された商品が，商品取出口１０１に払い出される。商品の購入後，余った釣り銭を返却するためには，釣銭返却レバー１０５を押し下げる。釣銭返却レバー１０５が押し下げられると，硬貨返却口１０６又は紙幣返却口１０７から，釣銭が排出される。
【００２６】
さらに，商品を購入するために商品選択部１が押下されると，コンテンツ表示部８に，複数のコンテンツの中から所望のコンテンツを選択するよう促す表示が表示される。表示された複数のコンテンツの中から，コンテンツ選択部９を介して，所望のコンテンツを選択することができる。特定のコンテンツが選択された場合，印刷部４が印刷用紙に所定のコンテンツを印刷し，印刷物排出口４１から，コンテンツが印刷された印刷物Ｐが排出される。なお，コンテンツとして，音声コンテンツが選択された場合，音出力部１０８から，音声コンテンツが出力される。
【００２７】
なお，本考案において，図１に示されるようなコンテンツ表示部８やコンテンツ選択部９や音出力部１０８は，必須の構成ではない。従って，商品選択部１が押下されたことを検知して，印刷部４からコンテンツが印刷されることとしてもよい。
【００２８】
また，本考案においては，印刷部４と共に，又は印刷部４に代えて，自動販売機１００の正面部にカード排出部（図示しない）を設けることとしてもよい。つまり，自動販売機１００の内部には，複数種類のカードを格納するためのカード格納部（図示しない）が備わっており，商品選択部１が押下されたことを検知して，このカード格納部に格納されているカードが，カード排出部から排出される。カードの態様としては，例えば，トレーディングカードやポイントカードが挙げられる。なお，カード排出部は，カード格納部に格納されている順にカードを排出することとしてもよいし，乱数に基づいてカードを排出することとしてもよいし，コンテンツ選択部９により選択されたカードを排出することとしてもよい。このように，自動販売機で販売される商品とともに，付加価値の高いカードを提供することにより，需要者の興味を惹きつけることができる。
【００２９】
図２は，自動販売機１００内部のシステム構成を示すブロック図である。特に，図２では，商品が選択されたことを契機として，印刷用紙に特定のコンテンツを印刷するための基本的なシステム構成が示されている。
【００３０】
図２に示されるように，自動販売機１００が特定のコンテンツを印刷するためのシステムは，商品選択部１，料金検知部１１１，一時記憶部１１２，コンテンツ記憶部２，コンテンツ抽出部３，及び印刷部４を備える。
【００３１】
商品選択部１は，自動販売機１００により販売される商品を選択するため機能を有する。料金検知部１１１は，硬貨投入口１０２又は紙幣投入口１０３に料金が投入されたことを検知する。一時記憶部１１２は，商品選択部１により選択された商品の種類及び料金検知部１１１により検知された料金の金額を一時的に記憶する。コンテンツ記憶部２は，印刷用紙Ｐ´に印刷されるコンテンツを記憶している。コンテンツ抽出部３は，料金検知部１１１により料金の投入が検知され，商品選択部１により検知された料金の範囲内の金額の商品が選択されたことを契機として，コンテンツ記憶部２から所定のコンテンツを抽出する。印刷部４は，コンテンツ抽出部３が抽出したコンテンツを印刷用紙Ｐ´に印刷する。
【００３２】
また，自動販売機１００には，印刷部４と共に，又は印刷部４に代えて，カード格納部に格納されるカードを排出するためのカード排出部を設けることとしてもよい。この場合において，カード排出部は，料金検知部１１１により料金の投入が検知され，商品選択部１により検知された料金の範囲内の金額の商品が選択されたことを契機として，カード格納部に格納されているカードを排出する。
【００３３】
図３は，自動販売機１００の機能ブロック図である。図３に示されるように，商品選択部１，コンテンツ記憶部２，コンテンツ抽出部３，印刷部４，金額算出部５，位置情報取得部６，時計部７，コンテンツ表示部８，コンテンツ選択部９を含む。
【００３４】
自動販売機１００は，内部にコンピュータを備えている。コンピュータは，入力部，制御部，記憶部，及び出力部を有する。コンピュータを構成する各要素はバスによって情報の授受ができるように相互に接続されている。例えば，制御部は，コンテンツ抽出部３や金額算出部５として機能し，記憶部はコンテンツ記憶部２として機能する。
【００３５】
商品選択部１は，上述したとおり，自動販売機１００により販売される商品を選択するため機能を有する。商品選択部１は，例えば，図１に示されるように商品に応じた位置に設けられたボタンを押下することにより商品を選択するものであってもよいし，上下左右を選択可能なレバーやボタンにより商品を選択するものであってもよい。商品選択部１により選択された商品の種類に関する情報は，記憶部に一時的に記憶される。また，商品選択部１により選択された商品の種類に関する情報は，後述するコンテンツ抽出部３に伝達される。
【００３６】
コンテンツ記憶部２は，コンテンツを記憶する機能を有する。コンテンツ記憶部２に記憶されるコンテンツの種類は，様々なものが考えられる。印刷部４により印刷用紙に印刷されるコンテンツとしては，例えば，企業広告や，割引クーポンであることが好ましい。また，コンテンツ記憶部２に記憶されるコンテンツは，適宜更新することが好ましい。
【００３７】
また，例えば，印刷部４により印刷用紙に印刷されるコンテンツには，ＱＲコード（登録商標），Ｗｅｂページへのアクセス情報（アドレス）が含まれる。このように，ＱＲコード（登録商標）やＷｅｂページへのアクセス情報が印刷されることにより，商品の購入者を特定のサイトへ誘導することができる。また，例えば，印刷物に会員制サイトへのログインＩＤやパスワードのような情報を印刷することにより，商品を購入した需要者を，誘導したサイトでの企画に参加させることができる。また，上記ログインＩＤやパスワードを使用してサイトにアクセスした需要者に対しては，サイトで利用可能なポイントを付与することとしてもよい。また，例えば，印刷物に印刷されたＷｅｂページへのアクセス情報によりアクセスしてきた需要者が，そのＷｅｂページから携帯端末に企業広告や施策コンテンツをダウンロードした場合に，その需要者に対して，次回購入分の商品を値引き又は無償で提供するといったサービスを展開できる。また，コンテンツは，例えば，キャラクタが印刷されるトレーディングカードに関する情報であってもよい。
【００３８】
また，コンテンツ記憶部２には，自動販売機の設置位置の情報を含む地図情報が記憶されていることとしてもよい。自動販売機の現在地については，後述する位置情報取得部６により取得できる。例えば，コンテンツ記憶部２は，自動販売機周辺の地図情報，自動販売機の設置位置の情報，及びコンテンツ記憶部２に記憶されている広告コンテンツの提供元の位置情報を関連付けて記憶しており，印刷部４は，これらの情報に基づいて，自動販売機から広告コンテンツ提供元までの道のりを示した地図を出力することしてもよい。この場合，例えば，自動販売機に内蔵されているコンピュータ（地図生成部）が，コンテンツ記憶部２に記憶されている情報をもとに，印刷部４から出力するための地図画像を生成する。
【００３９】
コンテンツ記憶部２に記憶されるコンテンツは，印刷用コンテンツに限定されるものではない。例えば，音出力部１０８によって出力される音声コンテンツであってもよい。また，例えば，自動販売機１００が，赤外線通信機能や無線通信機能を有する場合，コンテンツ記憶部２は，他の携帯型端末に対して配信する画像や文字データ，音声データその他アプリケーションデータを記憶するものであってもよい。
【００４０】
また，コンテンツ記憶部２は，コンテンツと他の情報を関連付けるテーブルを記憶していることが好ましい。コンテンツ記憶部２に記憶されるテーブルの例は，商品テーブル２１，位置情報テーブル２２，時刻テーブル２３である。これらのテーブルは，後述するコンテンツ抽出部３がコンテンツ記憶部２からコンテンツを抽出する際に参照される。これらのテーブルでは，特定の情報に対し一のコンテンツを関連付けることとしてもよいし，特定の情報に対し複数のコンテンツを関連付けることとしてもよい。
【００４１】
まず，商品テーブル２１は，自動販売機１００において販売している商品の種類と，コンテンツ記憶部２に記憶されているコンテンツを関連付けるためのテーブルである。自動販売機１００においては，複数種類の商品が販売されており，商品テーブル２１では，その商品の種類に応じたコンテンツが関連付けられている。例えば，商品テーブル２１には，商品の種類が「コーヒー」であれば，「コーヒー」の主たる需要者であると考えられる成人男性をターゲットにしたコンテンツを関連づければよい。また，例えば，商品テーブル２１には，商品の種類が「ある飲料メーカが製造した飲料」であれば，「ある飲料メーカが製造した飲料」の主たる需要者をターゲットにしたコンテンツを関連づければよい。
【００４２】
また，位置情報テーブル６は，自動販売機１００が設置された所在地に関する情報と，コンテンツ記憶部２に記憶されているコンテンツを関連付けるためのテーブルである。この場合において，自動販売機１００は，自動販売機が設置された所在地に関する情報を取得するための位置情報取得部６を備えており，位置情報テーブル６では，位置情報取得部６によって取得される位置情報に応じたコンテンツが関連付けられている。例えば，位置情報テーブル６には，自動販売機１００の所在地に応じて，その所在地の地域情報や，その所在地周辺の飲食店の広告情報，クーポン情報を関連づければよい。
【００４３】
また，時刻テーブル２３は，自動販売機が商品を販売した時刻と，コンテンツ記憶部２に記憶されているコンテンツを関連付けるためのテーブルである。この場合において，自動販売機１００は，自動販売機が商品を販売した時刻を取得するための時計部７を備えており，時刻テーブル２３では，時計部７によって取得される時刻に関する情報に応じたコンテンツが関連付けられている。例えば，時刻テーブル２３には，商品の販売される時刻が１１時〜１４時であれば，昼食に関する広告情報やクーポン情報を関連づければよい。また，例えば，時刻テーブル２３には，商品の販売される時刻が１２月２５日であれば，クリスマスに関する広告情報やクーポン情報を関連付ければよい。
【００４４】
コンテンツ抽出部３は，商品選択部１によって商品が選択されたことを検知し，コンテンツ記憶部２から所定のコンテンツを抽出する。つまり，自動販売機１００に料金が投入され，投入された料金の範囲内の金額の商品が選択されると，商品が選択された情報がコンテンツ抽出部３に伝達され，コンテンツ抽出部３の機能が作動する。コンテンツ抽出部３は，コンテンツ記憶部２から一のコンテンツを抽出するものであってもよいし，コンテンツ記憶部２から複数のコンテンツを抽出するものであってもよい。また，コンテンツ記憶部２，乱数に基づいて，コンテンツ記憶部２からコンテンツを抽出するものであってもよい。
【００４５】
コンテンツ抽出部３は，コンテンツ記憶部２からコンテンツを抽出するとき，上述した商品テーブル２１や，位置情報テーブル２２や，時刻テーブル２３のようなテーブルを参照することが好ましい。これにより，商品の需要者の趣向にマッチしたコンテンツを抽出することができる。例えば，コンテンツ抽出部３は，商品選択部１によって商品が選択されたことを検知した場合に，商品テーブル２１において，商品選択部１によって選択された商品の種類と関連付けられているコンテンツを抽出する。また，コンテンツ抽出部３は，商品選択部１によって商品が選択されたことを検知した場合に，位置情報テーブル２１において，位置情報取得部６によって取得された所在地に関する情報と関連付けられているコンテンツを抽出する。また，コンテンツ抽出部３は，商品選択部１によって商品が選択されたことを検知した場合に，時刻テーブル２１において，時計部７によって取得された時刻と関連付けられているコンテンツを抽出する。
【００４６】
ここでコンテンツ抽出部３は，コンテンツ記憶部２からコンテンツを抽出する際に，択一的にテーブルを参照するのではなく，複数のテーブルを参照することとしてもよい。例えば，コンテンツ抽出部３は，位置情報テーブル２３と商品テーブル２１を参照して，コンテンツ記憶部２から抽出するコンテンツを特定することとしてもよい。また，例えば，コンテンツ抽出部３は，位置情報テーブル２３と時刻テーブル２２を参照して，コンテンツ記憶部２から抽出するコンテンツを特定することとしてもよい。さらに，コンテンツ記憶部２は，商品テーブル２１，位置情報テーブル２２，及び時刻テーブル２３を参照して，コンテンツ記憶部２から抽出するコンテンツを特定することとしてもよい。
【００４７】
印刷部４は，コンテンツ抽出部３によってコンテンツ記憶部２から抽出された所定のコンテンツを，印刷用紙に印刷するための手段である。印刷部４は，コンテンツ抽出部３が一のコンテンツを抽出した場合には一のコンテンツを印刷用紙に印刷する。また，印刷部４は，コンテンツ抽出部３が複数のコンテンツを抽出した場合には複数のコンテンツを印刷用紙に印刷することとしてもよい。
【００４８】
印刷部４の構成は既に知られている。印刷部４としては，例えば，熱転写方式，感熱式，放電破壊方式，光露光加圧定着方式，インクジェット方式，又はドットインパクト方式ものを適宜用途に応じて採用することができる。
【００４９】
また，自動販売機１００には，印刷部４と共に，又は印刷部４に代えて，カード格納部に格納されるカードを排出するためのカード排出部を設けることとしてもよい。この場合において，自動販売機１００は，その内部にカード格納部を有する。カード格納部には，例えばトレーディングカードやポイントカードが，積層して格納されている。カード格納部には，自動販売機１００に設けられた印刷部４以外の印刷装置により印刷処理が施されたカードを格納することとしてもよい。カード排出部は，商品選択部１が押下されたことを検知して，カード格納部に格納されているカードを排出する。
【００５０】
自動販売機１００では，上記コンテンツとともに，販売した商品の領収書（レシート）を印刷することが好ましい。つまり，自動販売機１００は，例えば，商品選択部１により選択された商品の金額や，複数選択された商品の合計金額，投入された料金と商品の金額の差額（釣銭の額）を算出する金額算出手段５を備える。そして，印刷部４は，コンテンツ抽出部３によって抽出されたコンテンツとともに，金額算出手段５により算出された商品の金額や，投入金額，釣銭の額を印刷用紙に印刷する。
【００５１】
また，自動販売機１００は，さらに，自動販売機が設置された所在地に関する情報を取得するための位置情報取得部６を備えることが好ましい。位置情報取得部６において取得された情報は，コンテンツ抽出部３がコンテンツ記憶部２からコンテンツを抽出する際に参照される。位置情報取得部６は，例えば，全地球測位システム（ＧＰＳ：Ｇｌｏｂａｌ  Ｐｏｓｉｔｉｏｎｉｎｇ  Ｓｙｓｔｅｍ）を備えるものであってもよい。また，位置情報取得部６は，自動販売機１００が特定の場所に設置された際に，その所在地に関する情報の入力を受け付けるものであってもよい。自動販売機１００の所在地に関する情報の入力は，手入力であっても良い。このように，位置情報取得部６により取得された自動販売機の所在地に関する情報は，その自動販売機の周辺の地図画像などを生成・印刷する際に利用することもできる。
【００５２】
また，自動販売機１００は，さらに，自動販売機が商品を販売した時刻を取得するための時計部７を備えることが好ましい。時計部７によって取得された情報は，コンテンツ抽出部３がコンテンツ記憶部２からコンテンツを抽出する際に参照される。時計部７は，自動販売機１００が商品を販売した，年月日や時分秒のような時刻を取得することができる。
【００５３】
また，自動販売機１００は，コンテンツ抽出部３が，コンテンツ記憶部２から複数のコンテンツを抽出するものであり，需要者に対して，抽出した複数のコンテンツの中から所望するコンテンツの選択を促すものであってもよい。この場合，自動販売機１００は，コンテンツ抽出部３によって抽出された複数のコンテンツを表示するコンテンツ表示部８を有する。これにより，自動販売機１００は，需要者に対して所望するコンテンツの選択を促すことができる。そして，自動販売機１００は，コンテンツ表示部８により表示された複数のコンテンツの中から一のコンテンツを選択するためのコンテンツ選択部９を備える。これにより，需要者は，コンテンツ表示部８に表示されたコンテンツの中から所望するコンテンツを選択することができる。
【００５４】
図４は，本考案に係る自動販売機により出力されるコンテンツの例を示す図である。自動販売機１００は，例えば，図４に示されるようなクーポン券（ａ）や，ＱＲコード（登録商標）を含むレシート（ｂ），トレーディングカードを出力できる。
【００５５】
図４（ａ）には，印刷部４によって印刷用紙に印刷されたクーポン券の例が示されている。例えば，印刷用紙には，「￥３００引き」というクーポン情報とともに，自動販売機１００の周辺の地図が示されており，自動販売機から商品を購入した需要者の「現在地」からクーポンの提供元である「○○○商店」までの道のりを把握できるようになっている。「現在地」情報は，自動販売機１００が有する位置情報取得部６によって取得できる。また，地図情報や，クーポン提供元の所在地の情報は，コンテンツ記憶部２に記憶しておけばよい。そして，地図情報，自動販売機１００の所在地の情報，及びクーポン提供元の所在地の情報に基づいて，コンピュータ（地図生成部）により，印刷用紙に印刷するための地図画像が生成される。従って，印刷部４は，自動販売機１００の所在地の情報，及びクーポン提供元の所在地の情報を含む地図を印刷できる。
【００５６】
図４（ｂ）には，印刷部４によって印刷用紙に印刷されたレシート（領収書）の例が示されている。レシートには，需要者が購入した商品の商品名，各商品の金額，全商品の金額の合計，投入金額，釣銭の額，及び商品の購入日が記載されている。また，図４（ｂ）に示されたレシートには，ＱＲコード（登録商標）が含まれる。これにより，商品の購入者を特定のＷｅｂサイトへ誘導することができる。従って，商品の購入者を対象として，Ｗｅｂサイト上において様々な特典サービスを提供できる。
【００５７】
図４（ｃ）には，カード格納部に格納されカード排出部から排出されるトレーディングカードの例が示されている。図４（ｃ）では，印刷部４によって印刷されたトレーディングカードではなく，他の印刷装置により印刷処理が施され，カード格納部に格納されたトレーディングカードの例が示されている。このように，例えば，他の専門的な印刷所で印刷されたトレーディングカードを格納し，商品の購入者に対して提供することもできる。
【産業上の利用可能性】
【００５８】
本考案は，商品を販売する自動販売機に適用することができる。従って，商品の流通産業において好適に利用しうる。また，本考案は，地域経済の活性化にも貢献しうる。
【符号の説明】
【００５９】
１      商品選択部
２      コンテンツ記憶部
３      コンテンツ抽出部
４      印刷部
５      金額算出部
６      位置情報取得部
７      時計部
８      コンテンツ表示部
９      コンテンツ選択部
２１    商品テーブル
２２    位置情報テーブル
２３    時刻テーブル
４１    印刷物排出部
１００  自動販売機
１０１  商品取出口
１０２  硬貨投入口
１０３  紙幣投入口
１０４  金額表示部
１０５  釣銭返却レバー
１０６  硬貨返却口
１０７  紙幣返却口
１０８  音出力部
１１１  料金検知部
１１２  一時記憶部
【図１】
0003167494.tif 000003
【図２】
0003167494.tif 000004
【図３】
0003167494.tif 000005
【図４】
0003167494.tif 000006
【手続補正書】
【提出日】平成23年2月17日(2011.2.17)
【手続補正１】
【補正対象書類名】図面
【補正対象項目名】図４
【補正方法】変更
【補正の内容】
【図４】
0003167494.tif 000007